【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
マスター機能を提供するマスターデバイスとスレーブ機能を提供するスレーブデバイスとを含む少なくとも２つのワイヤレスデバイスを有するワイヤレス通信システムであって、
前記スレーブデバイスは、少なくとも１つのサービスを提供するように構成され、
前記マスターデバイスは、前記サービスを用いるように構成され、
前記スレーブデバイス及び前記マスターデバイスは、ワイヤレス通信を介して前記サービスを提供するように構成され、
前記少なくとも２つのワイヤレスデバイスの各デバイスは、
前記ワイヤレス通信のための通信ユニットと、
前記通信ユニットに結合されるとともに前記サービスを提供するように構成されたプロセッサとを有し、
前記少なくとも２つのワイヤレスデバイスのうちの第１のデバイスは、
ディスプレイを有するグラフィカルユーザインタフェースと、
ユーザ入力を受信するためのインタラクション要素と、
前記ディスプレイ及び前記インタラクション要素に結合されるグラフィカル制御ユニットとを有し、
前記グラフィカル制御ユニットは、少なくとも３つのノード要素と前記ノード要素間の接続要素とを示すためのシステム画像を生成するように構成され、それぞれのノード要素は、前記マスターデバイス、前記スレーブデバイス又は前記少なくとも１つのサービスのうちの１つを視覚的に表し、それぞれの接続要素は、前記ノード要素間で確立されるワイヤレス接続又はサービスセッションを視覚的に表し、前記システム画像は、前記第１のデバイスを表す第１のノード要素を含む少なくとも３つのノード要素を有し、
前記グラフィカル制御ユニットは、前記少なくとも３つのノード要素のうち２つの選択されたノード要素の間のユーザにより前記システム画像において描かれたラインを示すライン描画入力を前記インタラクション要素を介して受信することにより接続されるデバイスを選択し、前記ライン描画入力を受信すると、前記選択されたノード要素に対応する選択されたデバイス間のワイヤレス接続又はサービスセッションのためのセットアップ動作を開始するように構成され、
前記プロセッサは、前記選択されたデバイス間のワイヤレス接続又はサービスセッションを確立することにより前記セットアップ動作を実行するように構成される、ワイヤレス通信システム。
【請求項２】
前記少なくとも１つのサービスは、前記スレーブデバイスに外部的に結合された周辺機器、前記スレーブデバイスの内部リソース、前記スレーブデバイスに接続されたネットワークのうち少なくとも１つにアクセスし、これを用いることを有する、請求項１に記載のワイヤレス通信システム。
【請求項３】
前記少なくとも２つのワイヤレスデバイスのうちの第２のデバイスは、ディスプレイを有し、
前記第１のデバイスにおける前記グラフィカル制御ユニットは、生成されたシステム画像を前記第２のワイヤレスデバイスに転送するように構成され、
前記第２のワイヤレスデバイスは、前記生成されたシステム画像を受信し、前記ディスプレイを介して前記生成されたシステム画像を表示するように構成される、請求項１に記載のワイヤレス通信システム。
【請求項４】
請求項１に記載のワイヤレス通信システムにおいて使用する、前記少なくとも２つのワイヤレスデバイスの前記第１のデバイスであるワイヤレスデバイスであって、
前記ワイヤレス通信のための通信ユニットと、  前記通信ユニットに結合されるとともに前記サービスを提供するように構成されたプロセッサと、
グラフィカルユーザインタフェースとを有し、
前記グラフィカルユーザインタフェースは、ディスプレイと、ユーザ入力を受信するためのインタラクション要素と、前記ディスプレイ及び前記インタラクション要素に結合されるグラフィカル制御ユニットとを有し、
前記グラフィカル制御ユニットは、少なくとも３つのノード要素と前記ノード要素の間の接続要素とを示すためのシステム画像を生成するように構成され、それぞれのノード要素は、前記マスターデバイス、前記スレーブデバイス又は前記少なくとも１つのサービスのうちの１つを視覚的に表し、それぞれの接続要素は、前記ノード要素間で確立されるワイヤレス接続又はサービスセッションを視覚的に表し、前記少なくとも３つのノード要素は、前記第１のデバイスを表す第１のノード要素を含み、
前記グラフィカル制御ユニットは、前記少なくとも３つのノード要素のうち２つの選択されたノード要素の間のユーザにより前記システム画像において描かれたラインを示すライン描画入力をインタラクション要素を介して受信することにより接続されるデバイスを選択し、前記ライン描画入力を受信すると、前記選択されたノード要素に対応する選択されたデバイスの間のワイヤレス接続又はサービスセッションのためのセットアップ動作を開始するように構成され、
前記プロセッサは、前記選択されたデバイスの間のワイヤレス接続又はサービスセッションを確立することにより前記セットアップ動作を実行するように構成される、ワイヤレスデバイス。
【請求項５】
前記グラフィカル制御ユニットは、ユーザにより前記システム画像における選択されたノード要素の間の接続要素を除去することを示すライン消去入力を前記インタラクション要素を介して受信し、前記ライン消去入力を受信すると、前記選択されたノード要素及び既存の接続又はサービスセッションを識別する解除動作を開始するように構成され、
前記プロセッサは、前記選択されたノード要素の間の前記既存の接続又はサービスセッションを解除することにより前記解除動作を実行するように構成される、請求項４に記載のワイヤレスデバイス。
【請求項６】
前記グラフィカル制御ユニットは、ユーザにより前記システム画像において描かれたラインが生じた起点ノード、及び／又は、ユーザにより前記システム画像において描かれたラインが終了した宛先ノードを示すライン方向入力を前記インタラクション要素を介して受信することによりマスター機能又はスレーブ機能を選択するように構成され、
前記プロセッサは、前記ライン方向入力を受信すると、当該デバイスが前記起点ノードに対応する場合には前記マスター機能を実行するように構成され、及び／又は、当該デバイスが前記宛先ノードに対応する場合には前記スレーブ機能を実行するように構成される、請求項４に記載のワイヤレスデバイス。
【請求項７】
前記グラフィカル制御ユニットは、既存の接続の既存の宛先ノードから既存の起点ノードまで描かれたラインを示す方向反転入力を前記ライン方向入力として前記インタラクション要素を介して受信することによりマスター機能又はスレーブ機能を選択するように構成され、
前記プロセッサは、前記ライン方向入力を受信すると、当該デバイスが前記既存の起点ノードに対応する場合には前記既存の起点ノードのマスター機能をスレーブ機能に変えるように構成され、及び／又は、当該デバイスが前記既存の宛先ノードに対応する場合には前記既存の宛先ノードのスレーブ機能をマスター機能に変えるように構成される、請求項６に記載のワイヤレスデバイス。
【請求項８】
前記プロセッサは、そのサービス、ワイヤレス接続機能及び／又は進行中の接続に関する情報を、前記少なくとも２つのワイヤレスデバイスのうちの他のデバイスから無線で受信するように構成され、及び／又は、前記プロセッサは、そのサービス、ワイヤレス接続機能及び／又は進行中の接続に関する情報を、前記少なくとも２つのワイヤレスデバイスのうちの他のデバイスに無線で送信するように構成される、請求項４−７のうちいずれか一項に記載のワイヤレスデバイス。
【請求項９】
前記情報は、Ｗｉ−Ｆｉ規格ＩＥＥＥ  ８０２．１１に従うＧＡＳフレームにおいて、又は、プローブ要求に応答するプローブ応答フレーム、又は、ビーコンフレームにおける事前関連付け情報である、請求項８に記載のワイヤレスデバイス。
【請求項１０】
前記フレームにおける前記情報は、サービス特有の情報を提供するサービス特有の情報エレメント又は属性によって拡張される、請求項９に記載のワイヤレスデバイス。
【請求項１１】
前記サービス特有の情報は、前記システム画像におけるそれぞれのノード要素において用いられるグラフィカルなアイコンを示す、請求項１０に記載のワイヤレスデバイス。
【請求項１２】
前記グラフィカル制御ユニットは、それぞれのマスターデバイス、スレーブデバイス又はサービスに対応するノード要素を生成するためのアイコンを取り出すためにアイコンのデータベースにアクセスするように構成される、請求項４−１１のうちいずれか一項に記載のワイヤレスデバイス。
【請求項１３】
前記グラフィカル制御ユニットは、前記ワイヤレスデバイス間の空間距離を決定し、前記システム画像における相対的空間距離を表すように構成される、請求項４−１２のうちいずれか一項に記載のワイヤレスデバイス。
【請求項１４】
請求項１に記載されたワイヤレス通信システムにおけるワイヤレスデバイスにおいて使用するためにワイヤレス通信を開始する方法であって、前記ワイヤレスデバイスは、前記少なくとも２つのワイヤレスデバイスの前記第１のデバイスであり、
前記ワイヤレスデバイスは、
前記ワイヤレス通信のための通信ユニットと、
前記通信ユニットに結合されるとともに前記サービスを提供するように構成されたプロセッサと、
ディスプレイ、及び、ユーザ入力を受信するためのインタラクション要素を有するグラフィカルユーザインタフェースとを有し、
当該方法は、
少なくとも３つのノード要素と前記ノード要素の間の接続要素とを示すためのシステム画像を生成するステップであって、それぞれのノード要素は、前記マスターデバイス、前記スレーブデバイス又は前記少なくとも１つのサービスのうちの１つを視覚的に表し、それぞれの接続要素は、前記ノード要素間で確立されるワイヤレス接続又はサービスセッションを視覚的に表し、前記少なくとも３つのノード要素は、前記第１のデバイスを表す第１のノード要素を含む、ステップと、
前記少なくとも３つのノード要素のうちの２つの選択されたノード要素の間のユーザにより前記システム画像において描かれたラインを示すライン描画入力を前記インタラクション要素を介して受信することにより接続されるデバイスを選択するステップと、
前記ライン描画入力を受信すると、前記選択されたノード要素に対応する選択されたデバイスの間のワイヤレス接続又はサービスセッションのためのセットアップ動作を開始するステップとを有し、
前記プロセッサは、前記選択されたデバイスの間のワイヤレス接続又はサービスセッションを確立することにより前記セットアップ動作を実行するように構成される、方法。
【請求項１５】
請求項１に記載されたワイヤレス通信システムにおけるワイヤレスデバイスにおいて使用するためにワイヤレス通信を開始するコンピュータプログラムであって、前記ワイヤレスデバイスは、前記少なくとも２つのワイヤレスデバイスの前記第１のデバイスであり、
請求項１４に記載の方法をプロセッサに実行させるように動作するプログラムを有する、コンピュータプログラム。